(57)【要約】【課題】電磁機器本体の半田付け端子への電線等の接続を容易かつ安価に実施可能な電磁機器を提供することにある。【解決手段】電磁機器本体２１に互いに並べて取付けられた複数の半田付け端子２６ａ〜２６ｃ、２７ａ、２７ｂと、コンデンサ並びに放電抵抗及びリード３８付き電流ヒューズ３６とを、これらに半田付けされる複数の絶縁被覆電線５１〜５５で接続して放電灯点灯回路を構成する電磁機器を前提とする。電気絶縁製のホルダ４１を本体２１に取付ける。ホルダ４１は、絶縁被覆電線５１〜５５の一部が嵌め込み支持される電線保持部４６、電流ヒューズ保持部４７、及びリード３８又は絶縁被覆電線の導電線端末部５１ａ〜５５ａ並びに半田付け端子が配置される複数の開口部４４ａ〜４４ｃ、４５ａ、４５ｂを有する。各半田付け端子に対して導電線端末部並びにリードが、各開口部において同一方向から半田付けされていることを特徴としている。【選択図】    図４
2004193164.tif 000002
【特許請求の範囲】
【請求項１】
ケースと、
複数の半田付け端子が並べて取付けられたコイルボビンを有するコイル体と鉄心とを組合わせて形成され前記ケースに収容された電磁機器本体と、
この電磁機器本体とともに放電灯点灯回路を構成して前記ケースに内蔵されるコンデンサ等の電気部品と、
前記半田付け端子及びコンデンサの電気部品に電気的に接続される複数の絶縁被覆電線と、
これら絶縁被覆電線の夫々の一部が嵌め込み支持される電線保持部、前記電気部品のリード又は前記絶縁被覆電線の導電線端末部並びに前記半田付け端子が配置される複数の開口部を有して、前記電磁機器本体に取付けられた電気絶縁製のホルダと、
を具備し、前記開口部において前記各半田付け端子に対してこれらの半田付け端子に対応した前記導電線端末部並びに前記電気部品が同一方向から半田付けされていることを特徴とする電磁機器。
【請求項２】
ケースと、
複数の半田付け端子が並べて取付けられたコイルボビンを有するコイル体と鉄心とを組合わせて形成され前記ケースに収容された電磁機器本体と、
この電磁機器本体とともに放電灯点灯回路を構成して前記ケースに内蔵される端子板が突設されたコンデンサ等の電気部品と、
前記半田付け端子及びコンデンサ等の電気部品に電気的に接続される複数の絶縁被覆電線と、
これら絶縁被覆電線の夫々の一部が嵌め込み支持される電線保持部、前記電気部品のリード又は前記絶縁被覆電線の導電線端末部並びに前記半田付け端子が配置される複数の開口部、及びコンデンサ支え部を有して、前記電磁機器本体に取付けられた電気絶縁製のホルダと、
前記電磁機器本体を埋めて前記ケース内に注入して固化された電気絶縁性の充填材と、
を具備し、前記開口部において前記各半田付け端子に対してこれらの半田付け端子に対応した前記導電線端末部並びに前記電気部品が同一方向から半田付けされているとともに、前記コンデンサの前記端子板が突出された面を前記コンデンサ支え部に対向させて前記コンデンサが前記ホルダ上に設置されていることを特徴とする電磁機器。
【請求項３】
前記ホルダと前記コイルボビンとを互いに嵌合させて前記ホルダが前記コイルボビンに取付けられていることを特徴とする請求項１又は２に記載の電磁機器。
【請求項４】
器具本体と、この器具本体にランプソケットを介して支持された放電灯と、前記器具本体に取付けられて前記放電灯を点灯させる請求項１から３の内のいずれか１項に記載の電磁機器で形成された放電灯点灯装置と、を具備したことを特徴とする照明器具。
【発明の詳細な説明】
【０００１】
【発明の属する技術分野】本発明は、例えば水銀灯等の放電灯を備えた照明器具、及び照明器具に備えられて放電灯を点灯させる放電灯点灯装置等として使用される電磁機器に関する。
【０００２】
【従来の技術】例えば水銀灯等を点灯させる放電灯点灯装置は、電磁機器本体に、力率改善用コンデンサ、電流ヒューズ、及び放電抵抗等の電気部品を、夫々絶縁被覆電線を介して電気的に接続して、放電灯を点灯させる放電回路を電磁機器本体とともに形成している。従来において、各絶縁被覆電線は、その端部で剥き出された導電線端末部を、電磁機器本体のコイルボビンに取付けられている数多くの半田付け端子の夫々に半田付けすることによって接続されている。
【０００３】
各半田付け端子への絶縁被覆電線の半田付けは、１本又は２本の絶縁被覆電線の導電線端末部をそれらが接続されるべき端子毎に逐一重ねて、各半田付け端子毎に順次行われている。このため、半田付け作業に多くの時間を要し、組立作業性が良くない。
【０００４】
一方、半田付けをしないで、電磁機器本体と各種の電気部品等との電気的接続ができる放電灯用安定器が知られている（例えば特許文献１参照。）。
【０００５】
この特許文献１の放電灯用安定器は、電磁機器本体のコイルボビン上に端子台を取付けている。この端子台には、電気部品に接続された絶縁被覆電線及び外部配線となる絶縁被覆電線の先端に夫々取付けられた雄型コンタクトが挿通して固定されていて、端子台の下部に突出した前記雄型コンタクトは、コイルボビンに設けた雌型コンタクトに嵌合されている。これにより、雄雌のコンタクトを介して電磁機器本体と各絶縁被覆電線との電気的接続を得ている。
【０００６】
【特許文献１】
特許第３１３３７９８号明細書（段落０００９−００１４、図１−図４）
【０００７】
【発明が解決しようとする課題】電磁機器本体の各半田付け端子に絶縁被覆電線を半田付けする従来では、電磁機器本体の各半田付け端子への絶縁被覆電線の半田付けが、１本又は２本の絶縁被覆電線の導電線端末部をそれらが接続されるべき半田付け端子毎に逐一重ねて、各端子毎に順次行われている。このため、半田付け作業に多くの時間を要し、組立作業性が良くない。
【０００８】
これに対して、特許文献１では、雄雌のコンタクトを互いに嵌合させて電気的接続をするので、半田付け端子に絶縁被覆電線等を逐一半田付けをしないで済むが、その代わりに各絶縁被覆電線に取付けられた雄型コンタクト、及びこれらと嵌合する雌型コンタクトを要するので、コスト高である。
【０００９】
本発明が解決しようとする課題は、電磁機器本体の半田付け端子への電線等の接続を容易かつ安価に実施可能な電磁機器、及びこれを備えた照明器具を提供することにある。
【００１０】
【課題を解決するための手段】前記課題を解決するために、請求項１に係る発明の電磁機器は、ケースと、複数の半田付け端子が並べて取付けられたコイルボビンを有するコイル体と鉄心とを組合わせて形成され前記ケースに収容された電磁機器本体と、この電磁機器本体とともに放電灯点灯回路を構成して前記ケースに内蔵されるコンデンサ等の電気部品と、前記半田付け端子及びコンデンサの電気部品に電気的に接続される複数の絶縁被覆電線と、これら絶縁被覆電線の夫々の一部が嵌め込み支持される電線保持部、前記電気部品のリード又は前記絶縁被覆電線の導電線端末部並びに前記半田付け端子が配置される複数の開口部を有して、前記電磁機器本体に取付けられた電気絶縁製のホルダと、を具備し、前記開口部において前記各半田付け端子に対してこれらの半田付け端子に対応した前記導電線端末部並びに前記電気部品が同一方向から半田付けされていることを特徴としている。
【００１１】
請求項１及び以下の各発明で、ホルダをなす電気絶縁材には例えばプラスチックを好適に使用できるとともに、このホルダの開口部は、ホルダを厚み方向に貫通する切欠き状の溝又は孔で作ることが可能である。請求項１及び以下の各発明で、電線保持部は、絶縁被覆電線の一部を挟む溝及びホルダ上での絶縁被覆電線の引き回しを可能とする凸部などの内、少なくとも溝を有して作られるものである。
【００１２】
請求項１の発明では、ホルダの電線保持部に各絶縁被覆電線の夫々の一部を保持することで、これら電線の導電線端末部が対応する位置の開口部に位置決めされる。同様に、電気部品のリードも対応する位置の開口部に位置決めされる。こうした位置決め下で電磁機器本体にホルダが取付けられることにより、コイルボビンに取付けられている各半田付け端子が夫々各開口部に配置される。このため、各半田付け端子と同じ配列となっている複数の半田ごてを有した自動半田付け機を用いて、前記半田ごて群を各開口部内に例えば上方から押し込むことにより、各半田付け端子に導電線端末部や電気部品などを１度に同一方向から半田付けすることが可能である。
【００１３】
又、前記課題を解決するために、請求項２に係る発明の電磁機器は、ケースと、複数の半田付け端子が並べて取付けられたコイルボビンを有するコイル体と鉄心とを組合わせて形成され前記ケースに収容された電磁機器本体と、この電磁機器本体とともに放電灯点灯回路を構成して前記ケースに内蔵される端子板が突設されたコンデンサ等の電気部品と、前記半田付け端子及びコンデンサ等の電気部品に電気的に接続される複数の絶縁被覆電線と、これら絶縁被覆電線の夫々の一部が嵌め込み支持される電線保持部、前記電気部品のリード又は前記絶縁被覆電線の導電線端末部並びに前記半田付け端子が配置される複数の開口部、及びコンデンサ支え部を有して、前記電磁機器本体に取付けられた電気絶縁製のホルダと、前記電磁機器本体を埋めて前記ケース内に注入して固化された電気絶縁性の充填材と、を具備し、前記開口部において前記各半田付け端子に対してこれらの半田付け端子に対応した前記導電線端末部並びに前記電気部品が同一方向から半田付けされているとともに、前記コンデンサの前記端子板が突出された面を前記コンデンサ支え部に対向させて前記コンデンサが前記ホルダ上に設置されていることを特徴としている。
【００１４】
請求項２の発明でも、ホルダの電線保持部に各絶縁被覆電線の夫々の一部を保持することで、これら電線の導電線端末部が対応する位置の開口部に位置決めされる。同様に、電気部品のリードも対応する位置の開口部に位置決めされる。こうした位置決め下で電磁機器本体にホルダが取付けられることにより、コイルボビンに取付けられている各半田付け端子が夫々各開口部に配置される。このため、各半田付け端子と同じ配列となっている複数の半田ごてを有した自動半田付け機を用いて、前記半田ごて群を各開口部内に例えば上方から押し込むことにより、各半田付け端子に導電線端末部や電気部品などを１度に同一方向から半田付けすることが可能である。
【００１５】
更に、請求項２の発明では、ケース内への充填材の注入に伴って、ホルダ上に設置されているコンデンサが、その端子板がケース内面に近づくように動かされることを、ホルダのコンデンサ支え部によって妨げて、ケースと端子板との間の電気的絶縁を確保できる。更に、この発明で、ホルダへのコンデンサの保持を確実にするため、ホルダとコンデンサとを輪ゴムのような固定手段を用いて固定することことは妨げない。
【００１６】
請求項１、２の発明の好ましい形態では、前記ホルダと前記コイルボビンとを互いに嵌合させて前記ホルダを前記コイルボビンに取付けるとよい。この請求項３の発明では、ホルダとコイルボビンとの嵌合により、コイルボビンの各半田付け端子に対してホルダの各開口部を適正に位置決めできる。更に、これらの発明で、コイルボビンの温度上昇を検知するサーマルプロテクタを嵌合するような嵌合部を、ホルダに設ける場合には、コイルボビンとサーマルプロテクタとの密着性を高めることが可能である。
【００１７】
又、前記課題を解決するために、請求項４に係る発明の照明器具は、器具本体と、この器具本体にランプソケットを介して支持された放電灯と、前記器具本体に取付けられて前記放電灯を点灯させる請求項１から３の内のいずれか１項に記載の電磁機器で形成された放電灯点灯装置と、を具備している。
【００１８】
この発明の照明器具は、各半田付け端子に導電線端末部やリードなどを１度に同一方向から半田付けすることが可能な請求項１から３の内のいずれか１項に記載の電磁機器で形成される放電灯点灯装置を備えているので、この放電灯点灯装置の組立における電磁機器本体の半田付け端子への電線等の接続を容易かつ安価に実施できる。
【００１９】
【発明の実施の形態】以下、図１〜図１０を参照して本発明の第１実施形態を説明する。図１に示す照明器具１は、器具本体２と、ランプソケット３と、電磁機器で形成される放電灯点灯装置４と、水銀灯等の放電灯５とを備えている。
【００２０】
器具本体２は、例えば天井に直付けされる図示しないシャーシと、このシャーシを下方から覆って設けられた反射板２ａを有して形成されている。シャーシの長手方向両端部に夫々ランプソケット３が取付けられている。両ランプソケット３は、反射板２ａの長手方向両端部に夫々設けた孔（図示しない）を通って、反射板２ａの下側に突出されている。放電灯５は、例えば棒状であって、その両端はランプソケット３に取外し可能に支持されている。
【００２１】
放電灯５を点灯させるための放電灯点灯装置４は、シャーシに取付けられているとともに、このシャーシと共に反射板２ａで覆われている。図２〜図４等に示すように放電灯点灯装置４は、ケース１１、電磁機器本体２１、力率改善用コンデンサ３１、放電抵抗３４、電流ヒューズ３６、ホルダ４１、絶縁被覆電線５１〜５５、及び充填材１０を備えている。
【００２２】
ケース１１は、四角筒状の金属製ケース本体１２の両端に、夫々金属や樹脂製のケース蓋１３、１４を取付けるとともに、ケース本体１２の一側壁の長手方向両端部に夫々取付け金具１５、１６をリベット止めして、形成されている。図２に示すように取付け金具１５、１６は互いに逆向きとなってケース本体１２の長手方向両端から突出され、この突出部分にはねじ通し溝１５ａ、１６ａが夫々設けられている。これらねじ通し溝１５ａ、１６ａを通って前記シャーシにねじ込まれる図示しない取り付けねじを介してシャーシへの放電灯点灯装置４の取付けが行なわれる。
【００２３】
電磁機器本体２１は、図４に示すように鉄心２２とコイル体２３とを組合わせて形成されている。コイル体２３は、コイルボビン２４に巻線２５を巻いて作られている。コイルボビン２４は、電気絶縁物例えばプラスチック製であって、そのフランジ部は夫々鉄心２２の軸方向両端から突出されている。鉄心２２の一端面２２ａから突出されたフランジ部には、これと一体に端子取付け部２４ａ、２４ｂが形成されている。両端子取付け部２４ａ、２４ｂは、いずれも先端面（図４では上端面）に開放する複数の溝を有した凹凸構造をなしている（図４及び図５参照）。
【００２４】
一方の端子取付け部２４ａには略Ｌ形に折り曲げられた複数の半田付け端子２６ａ〜２６ｃが互いに並べて取付けられ、他方の端子取付け部２４ｂにも略Ｌ形に折り曲げられた複数の半田付け端子２７ａ、２７ｂが互いに並べて取付けられている。これらの端子２６ａ〜２６ｃ、２７ａ、２７ｂのコイルボビン２４外に位置した一片は、前記一端面２２ａと略平行な平板状をなしていて、かつ、互いに近づく方向に指向しているとともに、鉄心２２の一端面２２ａに対し略同じ高さ（略等距離）に位置されている。
【００２５】
なお、図４及び図１０中符号２８は巻線２５の温度に感応してオン・オフするバイメタルスイッチなどからなる温度プロテクタを示している。温度プロテクタ２８は、端子取付け部２４ａ、２４ｂへの半田付け端子２６ａ〜２６ｃ、２７ａ、２７ｂの挿着に伴って、半田付け端子２７ａ、２７ｂに機械的かつ電気的に接続されているとともに、絶縁性の粘着テープ２９で巻線２５の表面に密接保持されている。
【００２６】
図３、図５、図８に示すようにコンデンサ３１は、その一側面から突出する一対の平板状端子板３２を備えている。放電抵抗３４は、部品本体としての抵抗本体３４ａと、この本体３４ａの両端から夫々突出された線状のリード３４ｂを有して形成されている。両リード３４ｂは端子板３２に個別に半田付けされて、これにより、図１０に示すようにコンデンサ３１とリード付き放電抵抗３４とが電気的に並列接続されている。
【００２７】
電流ヒューズ３６は、図１０に示すようにコンデンサ３１と放電抵抗３４との並列回路に直列接続される。この電流ヒューズ３６は、図９等に示すように部品本体としてのヒューズ本体３７と、この本体３７の両端に夫々半田付けされた裸線状のリード３８とを有している。このようなリード３８を有する電流ヒューズ３６は、絶縁被覆電線の導電線を半田付けしてなるリード線付きの電流ヒューズに比較して部品コストが安価であるので、その使用により製造コストを低減可能である。
【００２８】
ヒューズ本体３７は、透明ガラス管３７ａとこの両端に嵌合された金属製筒体３７ｂとを有しているとともに、これらの合わせ部を覆って封止樹脂３９が設けられている。この構成により、ヒューズ本体３７内の気密が保持されている。なお、封止樹脂３９はポッティング処理により設けたが、これに代えて、ヒューズ本体３７全体を樹脂槽に浸けたり、或いは、前記合わせ部に到達する深さまでヒューズ本体３７の端部を夫々樹脂槽に浸ける等のディップ処理により設けることも可能である。これらの処理は、大気圧下で行われ、ヒューズ本体３７内に未硬化の樹脂が入り込む圧力が実質的に作用しないので、封止樹脂３９はヒューズ本体３７の表面にのみ付着し、ヒューズ本体３７内に侵入することがない。
【００２９】
このように予め封止処理された電流ヒューズ３６を用いることは、ケース１１内に真空引きにより充填材１０を充填して、この充填材１０内に電磁機器本体２１を埋め込む際に、充填材１０内に電流ヒューズ３６が位置する設計としても不具合を生じることなくコストダウンが可能である。
【００３０】
つまり、前記真空引き充填は鉄心２２をなす各積層鉄心板間などを含めて電磁機器本体２１の隅々にまで充填材１０を浸透させて空気層をなくし、それにより、電磁機器本体２１からケース１１のケース本体１２への熱伝導性を良くして、電磁機器本体２１の温度上昇を抑制するために行われている。このため、前記封止処理をしないで充填材１０内に電流ヒューズ３６が埋まる設計とした場合には、この電流ヒューズ３６の内部が、ガラス管３７ａと筒体３７ｂとの間の嵌め合い隙間を通して負圧となった条件で、充填が行われるので、電流ヒューズ３６内に充填材１０の一部が引き込まれてしまう。これにより、電流ヒューズ３６のヒューズ機能が適正に発揮されなくなる可能性を生じる。
【００３１】
これに対して、既述のように電流ヒューズ３６を予め封止して置くことにより、密閉状態に保持されているヒューズ３６内への充填材１０の侵入が防止されて、電流ヒューズ３６に所期の機能を発揮させることが可能である。このため、電流ヒューズ３６を充填材１０内に埋める設計とすることが可能となり、電流ヒューズ３６を充填材１０の外に配置させる十分に長い前記リード線付きの電流ヒューズ３６を用いる必要がなくなるだけではなく、このヒューズ３６をケース本体１２等に対して絶縁するため絶縁カバーなどを取付ける必要がなくなる（この点は後述する。）。よって、部品点数、工数、及び材料費などが低減されるに伴い、コストダウンを図ることができる。
【００３２】
ホルダ４１は電気絶縁製のプラスチックにより一体成形されている。図４及び図７等に示すようにホルダ４１は、第１係合凸部４２、第２係合凸部４３、第１開口部４４ａ〜４４ｃ、第２開口部４５ａ及び４５ｂ、電線保持部４６、電流ヒューズ保持部４７、及びコンデンサ支え部４８などを有している。
【００３３】
第１、第２の係合凸部４２、４３はいずれもホルダ４１の裏面に一体に突設されている。第１係合凸部４２は端子取付け部２４ａの先端に開放する凹部等に嵌合し、第２係合凸部４３は端子取付け部２４ｂの先端に開口する凹部などに嵌合する。第１係合凸部４２を端子取付け部２４ａに凹凸嵌合させるとともに、第２係合凸部４３を端子取付け部２４ｂに凹凸嵌合させることにより、ホルダ４１が電磁機器本体２１に取付けられている。この取付け状態を図３に示す。前記凹凸嵌合により与えられる摩擦係合力で、後述の半田付け処理が済むまでの間、ホルダ４１は人為的な引抜き力を与えない限り電磁機器本体２１から外れないように保持されている。
【００３４】
複数の第１開口部４４ａ〜４４ｃは、その内側に半田付け端子２６ａ〜２６ｃが配置されるように第１係合凸部４２を避けて例えばホルダ４１を厚み方向に貫通した孔で形成されている。他方の複数の第２開口部４５ａ及び４５ｂも、その内側に半田付け端子２７ａ、２７ｂが配置されるように第２係合凸部４３を避けて例えばホルダ４１を厚み方向に貫通した矩形状の貫通孔で形成されている。これらの開口部４４ａ〜４４ｃ、４５ａ、４５ｂはいずれも半田付け端子２６ａ〜２６ｃ、２７ａ、２７ｂより大きい矩形孔であって、ホルダ４１を電磁機器本体２１に取付けることによって、各開口部４４ａ〜４４ｃ、４５ａ、４５ｂに、それらに個別に対応する半田付け端子２６ａ〜２６ｃ、２７ａ、２７ｂが入り込むようになっている。
【００３５】
図７（Ｂ）に示すように電線保持部４６は、ホルダ４１の一端に寄っている第１開口部４４ａ〜４４ｃ群と、ホルダ４１の他端に寄っている第２開口部４５ａ、４５ｂ群との間に位置して、ホルダ４１の表面に設けられている。この電線保持部４６は、相互間に挟持溝４６ａを形成して列状に並設された複数の第１凸部４６ｂと、同じく相互間に挟持溝４６ｃを形成して列状に並設された複数の第２凸部４６ｄとを備えている。各第１凸部４６ｂは第１開口部４４ａ〜４４ｃ群に寄せて形成され、挟持溝４６ａは第１開口部４４ａ〜４４ｃの夫々に対応して設けられている。同様に、各第２凸部４６ｄは第２開口部４５ａ、４５ｂ群に寄せて形成され、その挟持溝４６ｃは第２開口部４５ａ、４５ｂの夫々に対応して設けれらている。更に、各第１、第２の凸部４６ｂ、４６ｄは、いずれも挟持溝４６ｂ、４６ｃとは直交して前記列方向に沿って間隔的に設けられている溝４６ｅ又は４６ｆを有している。
【００３６】
ヒューズ保持部４７は、ホルダ４５の表面に開口する細長い溝によって形成されている。この保持部４７の一端部とこれに最も近づけられている第１開口部４４ａとの境界をなす壁部、及び保持部４７の他端部とこれに最も近づけられている第２開口部４５ａとの境界をなす壁部には、夫々リード３８を通す切欠き４７ａが表面に開放して設けられている。保持部４７には電流ヒューズ３６が収容され、このヒューズ３６の両端のリード３８は切欠き４７ａを通って、保持部４７に隣接している第１開口部４４ａ又は第２開口部４５ａ内に配置されている。
【００３７】
コンデンサ支え部４８は電線保持部４６を間に置いてヒューズ保持部４７とは反対側に位置してホルダ４５の表面に突設されている。コンデンサ支え部４８は、例えば平板状をなして前記第１、第２の凸部４６ｂ、４６ｄよりも遥かに長く形成されているとともに、溝４６ｅ、４６ｆに個別に対向する溝４８ａ、４８ｂを有している。このコンデンサ支え部４８の根元部とこれに最も接近した第１凸部４６ｂとの間には挟持溝４６ｇが形成されているとともに、前記根元部とこれに最も接近した第２凸部４６ｄとの間には引出し溝４６ｈが形成されている。
【００３８】
電線保持部４６には、図２、図５、図６に例示するようにケース１１内に全体が納められる絶縁被覆電線５１、５２の一端部側、及び一方のケース蓋１３を通ってケース１１外に引出される絶縁被覆電線５３〜５５の一端部側が保持されている。
【００３９】
詳しくは、絶縁被覆電線５３の一端部は、挟持溝４６ｇに挟まれて引出し溝４６ｈを通ってホルダ４１上に保持されており、その一端に露出した導電線端末部５３ａは、挟持溝４６ｇ、４６ａに対応する第１開口部４４ｃ内に配置されている。絶縁被覆電線５４の一端部は、第１開口部４４ｂに対応する挟持溝４６ａに挟まれて引出し溝４６ｈを通ってホルダ４１上に保持されており、その一端に露出した導電線端末部５４ａは、第１開口部４４ｂ内に配置されている。同様に、絶縁被覆電線５５の一端部は、第２開口部４５ｂに対応する挟持溝４６ｃに挟まれて引出し溝４６ｈを通ってホルダ４１上に保持されており、その一端に露出した導電線端末部５５ａは、第２開口部４５ｂ内に配置されている。
【００４０】
絶縁被覆電線５１の一端部は、第１開口部４４ａに対応する挟持溝４６ａに挟まれて、ヒューズ保持部４６に最も近い第１凸部４６ｂを巻いてＵ字状に折り返し、各第１凸部４６ｂの溝４６ｅ及びコンデンサ支え部４８の一方の溝４８ａを通ってホルダ４１上に保持されている。溝４６ｅは絶縁被覆電線５１を挟んでいる。この絶縁被覆電線５１の一端に露出した導電線端末部５１ａは、第１開口部４４ａ内に配置されている。更に、絶縁被覆電線５２の他端に露出した導電線端末部は図８に示すようにコンデンサ３１の他方の端子板３２に半田付けされている。
【００４１】
絶縁被覆電線５２の一端部は、第１開口部４４ｃに対応する挟持溝４６ａに挟まれて、各第１凸部４６ｂの並び方向に沿ってこれらの一面に沿うように配線された後に、Ｕ字状に折り返して各第２凸部４６ｄの溝４６ｆを通リ、この溝４６ｆに対向するコンデンサ支え部４８の他方の溝４８ｂを通ってホルダ４１上に保持されている。溝４６ｆは絶縁被覆電線５２を挟んでいる。この絶縁被覆電線５２の一端に露出した導電線端末部５２ａは、第１開口部４４ｃ内に配置されている。更に、絶縁被覆電線５２の他端に露出した導電線端末部は図８に示すようにコンデンサ３１の一方の端子板３２に半田付けされている。
【００４２】
以上のようにホルダ４１上に絶縁被覆電線５２を引き回して保持することによって、絶縁被覆電線５３〜５５の一端部が、これらの上に交差して配線された絶縁被覆電線５２によって押えられている。更に、絶縁被覆電線５２は絶縁被覆電線５１のＵ字状に折り返された部分の一部を押えている。同様に、以上のようにホルダ４１上に絶縁被覆電線５１を引き回して保持することによって、この絶縁被覆電線５１の一端部及び絶縁被覆電線５２、５３、５５の一端部が、これらの上に交差して配線された絶縁被覆電線５１によって押えられている。更に、絶縁被覆電線５１、５２のＵ字状の折り返し部分は、ヒューズ保持部４７の開口と交差するように位置されており、それによって電流ヒューズ３６の外れ止めをしている。
【００４３】
このようにホルダ４１のヒューズ保持部４７に保持された電流ヒューズ３６のリード３８、及びホルダ４１の電線保持部４６に保持された各絶縁被覆電線５１〜５５の導電線端末部５１ａ〜５５ａの夫々が、絶縁被覆電線５１又は５２によって外れ止めされるので、これらのリード３８及び導電線端末部５１ａ〜５５ａの夫々を対応するホルダ４１の開口部４４ａ〜４４ｃ、４５ａ、４５ｂ内に位置決めすることができる。
【００４４】
ホルダ４１は、そのヒューズ保持部４７に電流ヒューズ３６を嵌め込むとともに、電線保持部４６に各絶縁被覆電線５１〜５５を保持させた状態（図４参照）で、第１、第２の係合凸部４２、４３を端子取付け部２４ａ、２４ｂに夫々凹凸嵌合させることにより、電磁機器本体２１に取付けられるので、電磁機器本体２１の各半田付け端子２６ａ〜２６ｃ、２７ａ、２７ｂがホルダ４１の対応する各開口部４４ａ〜４４ｃ、４５ａ、４５ｂに入り込む。
【００４５】
これに伴い、電流ヒューズ３６の一端のリード３８及び絶縁被覆電線５１の導電線端末部５１ａが、第１開口部４４ａ内に入り込んだ半田付け端子２６ａに接触若しくは近接する。絶縁被覆電線５４の導電線端末部５４ａが、第１開口部４４ｂ内に入り込んだ半田付け端子２６ｂに接触若しくは近接する。絶縁被覆電線５２、５３の導電線端末部５２ａ、５３ａが、第１開口部４４ｃ内に入り込んだ半田付け端子２６ｃに接触若しくは近接する。同様に、電流ヒューズ３６の他端のリード３８が第２開口部４５ａ内に入り込んだ半田付け端子２７ａに接触若しくは近接するとともに、絶縁被覆電線５５の導電線端末部５５ａが、第２開口部４５ｂ内に入り込んだ半田付け端子２７ｂに接触若しくは近接する。
【００４６】
この後に、開口部４４ａ〜４４ｃ、４５ａ、４５ｂの配置と対応する配置の半田ごて群を有する半田付け機を用いて、その半田ごてを開口部４４ａ〜４４ｃ、４５ａ、４５ｂに挿入して半田付けを行うことにより、１度に各半田付け端子２６ａ〜２６ｃ、２７ａ、２７ｂと、電流ヒューズ３６のリード３８及び各絶縁被覆電線５１〜５５の導電線端末部５１ａ〜５５ａとを半田付けして、機械的且つ電気的に接続することができる。半田付けされた状態を図６に示し、図６中符号Ａは半田を示している。
【００４７】
この半田付けでは、１本又は２本の絶縁被覆電線の導線端末部をそれらが接続されるべき半田付け端子毎に逐一重ねて、各端子毎に順次行う必要がなく、以上のように１度に実施することが可能であるので、半田付け作業に要する時間が短くて済み、組立作業性が良いとともに、部品コストが高い雄雌のコンタクトを要しない。したがって、電磁機器本体２１の半田付け端子２６ａ〜２６ｃ、２７ａ、２７ｂへの絶縁被覆電線５１〜５５及び電流ヒューズ３６のリード３８の接続を容易かつ安価に実施することができる。しかも、電流ヒューズ３６及び絶縁被覆電線５１〜５５の導電線端末部５１ａ〜５５ａは、絶縁被覆電線５１、５２を利用して抜けることがないように押えられ、所定位置に位置決めされているので、半田付け機を用いての接続に好適である。
【００４８】
この半田付けにおいて、電流ヒューズ３６及び絶縁被覆電線５１〜５５を支持したホルダ４１は、その第１、第２の係合凸部４２、４３を、コイルボビン２４の端子取付け部２４ａ、２４ｂに凹凸嵌合させて、コイルボビン２４に取付けられている。これにより、コイルボビン２４の各半田付け端子２６ａ〜２６ｃ、２７ａ、２７ｂに対するホルダ４１の各開口部４４ａ〜４４ｃ、４５ａ、４５ｂを適正に位置決めできる。更に、既述のようにホルダ４１の各開口部４４ａ〜４４ｃ、４５ａ、４５ｂには、電流ヒューズ３６のリード３８及び絶縁被覆電線５１〜５５の導電線端末部５１ａ〜５５ａが位置決めされている。したがって、各半田付け端子２６ａ〜２６ｃ、２７ａ、２７ｂと電流ヒューズ３６のリード３８及び絶縁被覆電線５１〜５５の導電線端末部５１ａ〜５５ａが位置決めされるので、これらの半田付けによる接続の信頼性を高めることが可能である。
【００４９】
しかも、以上の半田付けに際して、図４に示すようにホルダ４１、電流ヒューズ３６、及び各絶縁被覆電線５１〜５５は一つのアセンブリとして取扱うことができるので、その取り扱いなどが容易である。
【００５０】
更に、以上の半田付け後に、これ以前又は以後に絶縁被覆電線５１、５２と半田付けされたコンデンサ３１は、ホルダ４１上に載置される。これにより、ケース１１内に組み込むべき部品をユニット化できるので、ケース１１への部品組み込みが容易である。しかも、コンデンサ３１をホルダ４１上に重ねたので、前記ユニットのケース１１内での占有容積を小さくできる。これに応じてケース１１を小形化することが可能であり、既存のケースに代えてケース１１を小形化する場合には放電灯点灯装置４全体をコンパクトにできる。
【００５１】
以上のホルダ４１とコンデンサ３１との組合せにおいて、図８に示すようにホルダ４１のコンデンサ支え部４８は、コンデンサ３１の端子板３２が突設されている側面を支持可能であって、しかも、この側面に対向している放電抵抗３４との間に挿入されているので、コンデンサ支え部４８を、図８中矢印方向へのコンデンサ３１の動きを抑制するストッパとして機能させることができる。
【００５２】
このため、ケース１１内への前記ユニットの組み込みがより容易になるとともに、ケース１１内に前記ユニットを組み込んだ後に、コンデンサ４８が前記矢印方向に不用意に動くことを抑制できる。これにより、ケース１１内に未硬化の充填材１０を充填して硬化させる際に、未硬化の充填材１０の注入圧力などによりコンデンサ４８が動かされて、その端子板３２及び放電抵抗３４とケース本体１２の内壁面との間の絶縁距離が短くなりすぎたり、これらが短絡することを抑制して、これら両者間に必要な絶縁距離を確保させることが可能である。更に、以上のようにホルダ４１上にコンデンサ４８を保持することにより、コンデンサ４８をケース１１内に配置する上で、コンデンサ４８を動き止めするための格別な工夫や工数を不要にできる。
【００５３】
なお、ケース１１内への充填材１０を充填は、大気圧以下にした低圧力雰囲気、つまり真空引きで行われるとともに、図１に示すようにケース１１を立てた状態で、コンデンサ３１の下部が注入された充填材１０に埋まる程度の充填深さを得て行われる。これにより、各半田付け部及び電流ヒューズ３６などは充填材１０内に埋められた状態となる。
【００５４】
又、電流ヒューズ３６の保持部４７は、電流ヒューズ３６を収容する溝状をなしているので、この保持部４７により電流ヒューズ３６を周囲に対して電気的に絶縁できる。このため、ケース１１内に対する適正位置から前記ユニットがずれて収容されることが仮にあったとしても、ケース１１と電流ヒューズ３６との間の電気的絶縁を確保することが可能である。
【００５５】
更に、既述のようにホルダ４１が有する電線保持部４６の各凸部４６ｂ、４６ｄ、各溝４６ａ、４６ｃ、４６ｅなどを利用して、これらへの巻き付け等を伴う電線保持部４６への絶縁被覆電線５３〜５５の引き回し方を適宜工夫することによって、これら絶縁被覆電線５３〜５５のケース１１外への引出し長さを略同じに調整することが可能である。
【００５６】
図１１は本発明の第２実施形態を示している。この実施形態は基本的には第１実施形態と同じ構成であるので、同じ構成部分には第１実施形態と同じ符号を付して、その構成および作用の説明を省略し、以下異なる部分について説明する。
【００５７】
第２実施形態では、他のコンデンサ支え部５８をホルダ４１に一体に設けて、一対のコンデンサ支え部４８、５８間にコンデンサ３１を挟んで保持している。この構成により、ホルダ４１上でのコンデンサ３１の図１１中矢印方向への動き止めがより確実となるので、コンデンサ３１を含めた前記ユニットのケース１１への組み込みをより容易にできる。なお、この点以外の構成は、図１１に示されない構成を含めて第１実施形態と同じであるので、この第２実施形態でも第１実施形態と同じ作用を得て、本発明の課題を解決することができる。
【００５８】
なお、本発明は前記各実施形態には制約されない。電気部品の保持部例えば電流ヒューズの保持部を設ける場合、この保持部は、電流ヒューズを収容する溝であっても、電流ヒューズを弾性的に挟む一組以上の挟持片で作られていてもよい。
【００５９】
【発明の効果】請求項１の発明によれば、電磁機器本体の各半田付け端子に絶縁被覆電線の導電線端末部や電気部品のリードなどを１度に同一方向から半田付けすることが可能であるので、電磁機器本体の半田付け端子への電線等の接続を容易かつ安価に実施可能な電磁機器を提供できる。
【００６０】
請求項２の発明によれば、電磁機器本体の各半田付け端子に絶縁被覆電線の導電線端末部や電気部品のリードなどを１度に同一方向から半田付けすることが可能であるので、電磁機器本体の半田付け端子への電線等の接続を容易かつ安価に実施可能であリ、更に、ケース内への充填材の注入に伴い、ホルダ上に設置されているコンデンサがケース内面に近づけられることを妨げて、このコンデンサの端子板とケースとの間の電気的絶縁を確保することが可能な電磁機器を提供できる。
【００６１】
請求項３の発明によれば、ホルダとコイルボビンとの嵌合により、コイルボビンの各半田付け端子に対するホルダの各開口部を適正に位置決した状態下で、電磁機器本体の各半田付け端子に絶縁被覆電線の導電線端末部や電気部品のリードなどを１度に同一方向から半田付けすることが可能であるので、電磁機器本体の半田付け端子への電線等の接続を容易かつ安価に実施可能な電磁機器を提供できる。
【００６２】
請求項４の発明によれば、請求項１から３の内のいずれか１項に記載の電磁機器で形成される放電灯点灯装置を備えているので、この放電灯点灯装置の組立における電磁機器本体の半田付け端子への電線等の接続を容易かつ安価に実施できる照明器具を提供できる。
【図面の簡単な説明】
【図１】本発明の第１実施形態に係る照明器具を示す斜視図。
【図２】図１の照明器具が備える放電灯点灯装置を示す断面図。
【図３】図２の放電灯点灯装置の電磁機器本体とホルダとコンデンサとの関係を示す側面図。
【図４】図２の放電灯点灯装置の電磁機器本体と絶縁被覆電線を保持したホルダとの関係を示す分解斜視図。
【図５】図２の放電灯点灯装置の電磁機器本体とホルダとコンデンサとの関係を分解して示す側面図。
【図６】図２の放電灯点灯装置の電磁機器本体と絶縁被覆電線を保持したホルダとの関係を示す平面図。
【図７】（Ａ）は図２の放電灯点灯装置が備えるホルダを示す斜視図。（Ｂ）は図７（Ａ）のホルダを示す平面図。（Ｃ）は図７（Ａ）のホルダを示す裏面図。
【図８】図２の放電灯点灯装置のコンデンサとホルダとの関係を示す斜視図。
【図９】図２の放電灯点灯装置が有する電流ヒューズを一部切欠いて示す平面図。
【図１０】図１の照明器具を点灯させる放電灯点灯回路を示す図。
【図１１】本発明の第２実施形態に係る放電灯点灯装置の電磁機器本体とホルダとコンデンサとの関係を示す側面図。
【符号の説明】
１…照明器具、  ２…器具本体、  ３…ランプソケット、  ４…放電灯点灯装置、  ５…放電灯、  １０…充填材、  １１…ケース、  ２１…電磁機器本体、２２…鉄心、  ２３…コイル体、  ２４…コイルボビン、  ２４ａ、２４ｂ…端子取付け部、  ２６ａ〜２６ｃ、２７ａ、２７ｂ…半田付け端子、３１…コンデンサ（電気部品）、３２…端子板、３４…放電抵抗（電気部品）、  ３６…電流ヒューズ（電気部品）、  ３８…リード、  ４１…ホルダ、  ４２、４３…係合凸部、４６…電線保持部、  ４６ａ、４６ｃ…挟持溝、  ４６ｂ、４６ｄ…凸部、  ４６ｅ、４６ｆ…溝、  ４６ｇ…挟持溝、  ４６ｈ…引出し溝、  ４８…コンデンサ支え部、  ５１〜５５…絶縁被覆電線、  ５１ａ〜５５ａ…導電線端末部。
【図１】
2004193164.tif 000003
【図２】
2004193164.tif 000004
【図３】
2004193164.tif 000005
【図４】
2004193164.tif 000006
【図５】
2004193164.tif 000007
【図６】
2004193164.tif 000008
【図７】
2004193164.tif 000009
【図８】
2004193164.tif 000010
【図９】
2004193164.tif 000011
【図１０】
2004193164.tif 000012
【図１１】
2004193164.tif 000013